(57)【特許請求の範囲】
【請求項１】
内部を釣り糸が挿通可能な中通し竿であって、
釣り糸が挿通する内部経路と、リールが装着可能なリール取付部と、前記リール取付部の前方に形成され前記リール取付部に装着されるリールからの釣り糸を前記内部経路に導入する糸導入口とを有する手元竿体と、
前記内部経路を有し、前記手元竿体の穂先側に連結されかつ前記手元竿体の内部を軸方向に移動可能な１又は複数の竿体からなる中子竿体ユニットと、
前記手元竿体と前記中子竿体ユニットとを、少なくとも前記中子竿体ユニットの後部が前記糸導入口の穂先側近傍に位置する糸通し位置で嵌合により連結する連結手段と、
を備え、
前記連結手段は、前記中子竿体ユニットの竿元側端部に設けられ、前記手元竿体の内周に摺接可能である、
中通し竿。
【請求項２】
前記連結手段は、
前記中子竿体ユニットの竿元側端部に固定され、前記竿元側端部より僅かに大径ありかつ前記手元竿体の内周に摺接可能な弾性を有する環状部材を有する、
請求項１に記載の中通し竿。
【請求項３】
前記環状部材の竿元側端部に螺合され、外径が前記環状部材より小さいガイドリングと、前記ガイドリングの内周面に装着された硬質リングとをさらに備えた、
請求項２に記載の中通し竿。
【請求項４】
内部を釣り糸が挿通可能な中通し竿であって、
釣り糸が挿通する内部経路と、リールが装着可能なリール取付部と、前記リール取付部の前方に形成され前記リール取付部に装着されるリールからの釣り糸を前記内部経路に導入する糸導入口とを有する手元竿体と、
前記内部経路を有し、前記手元竿体の穂先側に連結されかつ前記手元竿体の内部を軸方向に移動可能な１又は複数の竿体からなる中子竿体ユニットと、
前記手元竿体と前記中子竿体ユニットとを、少なくとも前記中子竿体ユニットの後部が前記糸導入口の穂先側近傍に位置する糸通し位置で嵌合により連結する連結手段と、
を備え、
前記連結手段は、
前記中子竿体ユニットの後部が前記糸導入口の穂先側に配置された状態で手元竿体の先端部内周に位置するように前記中子竿体ユニットの外面に配置され、外周面が前記手元竿体の内周面に接触可能な厚肉部と、
前記厚肉部より穂先側に移動可能でありかつ径方向に伸縮自在であり、前記中子竿体の外周に嵌められた状態で外径が前記手元竿体の先端内径より大きい割りパイプと、
を有している、
中通し竿。
【請求項５】
前記厚肉部はリング状に形成されている、
請求項４に記載の中通し竿。
【請求項６】
内部を釣り糸が挿通可能な中通し竿であって、
釣り糸が挿通する内部経路と、リールが装着可能なリール取付部と、前記リール取付部の前方に形成され前記リール取付部に装着されるリールからの釣り糸を前記内部経路に導入する糸導入口とを有する手元竿体と、
前記内部経路を有し、前記手元竿体の穂先側に連結されかつ前記手元竿体の内部を軸方向に移動可能な１又は複数の竿体からなる中子竿体ユニットと、
前記手元竿体と前記中子竿体ユニットとを、少なくとも前記中子竿体ユニットの後部が前記糸導入口の穂先側近傍に位置する糸通し位置で嵌合により連結する連結手段と、
を備え、
前記連結手段は、
前記手元竿体の前記糸導入口より竿先側の内面に嵌め込まれ、竿先側の内径が前記中子竿体ユニットの竿元側外径より大きく、竿元側の内径が前記中子竿体ユニットの竿元側外径より小さいテーパ面を内面に有し、周面の一部に軸方向に切り欠かれた切り欠き部を有する弾性リングを有する、
中通し竿。
【請求項７】
前記リール取付部と糸導入口との間に設けられ、前記糸導入口に釣り糸を案内する糸導入ガイドをさらに備えた、
請求項１から６のいずれかに記載の中通し竿。
【請求項８】
前記糸導入ガイドは、
前記糸導入口を挟んで両端形成され、前記手元竿体の外周面に固定される前後の固定部と、
前記前後の固定部を連結するとともに、前記リールからの釣り糸が挿通可能でこの釣り糸を前記糸導入口に案内するためのガイド部を有する連結部と
を有している、
請求項７に記載の中通し竿。
【請求項９】
前記連結部は前記固定部と一体で形成されている、
請求項８に記載の中通し竿。
【請求項１０】
前記連結部は前記糸導入口の上方で外方に湾曲するアーチ状に形成され、
前記ガイド部は前記リール側の傾斜部分に形成されている、
請求項８または９に記載の中通し竿。
【発明の詳細な説明】
【０００１】
【発明の属する技術分野】
本発明は、穂先竿、特に、内部を釣り糸が挿通可能な中通し竿に関する。
【０００２】
【従来の技術】
振出式の中通し竿は、手元竿と、手元竿の穂先側に連結される入れ子構造の中間竿や穂先竿等の複数の竿体からなる中子竿体ユニットとを有している。手元竿及び中子竿体ユニットは、竿体内部に釣り糸の内部経路を有しており、各竿体は、先端側がわずかに小径となるような緩やかなテーパがつけられている。また、手元竿には、内部経路と外部とを連通させて釣り糸を内部経路に導く糸導入口が設けられている。さらに中子竿体ユニットの先端の竿体（穂先竿）には、内部経路から釣り糸を外部に導出するトップガイドが設けられている。手元竿及び中子竿体ユニットの各竿体は、伸長状態（使用状態）で固定されるように連結されている。このような中通し竿では、リールに巻き付けられた釣り糸は糸導入口を通って竿体内部の内部経路に導入され、さらに竿体の穂先のトップガイドから外部に導かれる。
【０００３】
この種の中通し竿において、糸導入口を通して内部経路に釣り糸を導入し、さらに、穂先のトップガイドから取り出すために糸通しが用いられる。この糸通しは、複数の素線によって形成されたワイヤと、ワイヤの後端に設けられた糸止め部と、ワイヤの前端に固定されたキャップとを有している。
このような糸通しを用いて釣り糸を中通し竿内部に通す場合には、まず、中子竿体ユニットを手元竿から引き出し、中子竿体ユニットの後端を手元竿の糸導入口近傍に配置し、中子竿体ユニットの内部経路後端を外部から目視できるようにする。次に、糸通しの糸止め部に釣り糸を係止し、先端を手元竿の糸導入口から内部経路に挿入する。そして、糸通しを穂先側に送っていき、糸通しの先端を穂先のトップガイドから外部に導出する。その後、糸通しの先端を外部に引っ張り、糸止め部に係止されている釣り糸をトップガイドから導出する。
【０００４】
【発明が解決しようとする課題】
前記従来の中通し竿では、糸通しを糸導入口から挿入する際に、中子竿体ユニットの後端を手元竿の糸導入口近傍に配置すると、中子竿体ユニットの後端が手元竿の内部でふらつくことがある。これは、各竿体に先細りのテーパがつけられ、各竿体を伸長した状態（使用状態）で各竿体が固く連結されるようになっているため、各竿体を縮めると各竿体間に僅かな隙間が生じるからである。中子竿体ユニットの後端がふらつくと、糸通しを内部経路にうまく挿入できず、釣り糸を内部経路に挿入しにくい。
【０００５】
本発明の課題は、中通し竿において、糸通しを内部経路に挿入しやすくすることにある。
【０００６】
【課題を解決するための手段】
発明１に係る中通し竿は、内部を釣り糸が挿通可能な竿であって、手元竿体と、中子竿体ユニットと、連結手段とを備えている。手元竿体は、釣り糸が挿通する内部経路と、リールが装着可能なリール取付部と、リール取付部の前方に形成されリール取付部に装着されるリールからの釣り糸を内部経路に導入する糸導入口とを有している。中子竿体ユニットは、内部経路を有し、手元竿体の穂先側に連結されかつ手元竿体の内部を軸方向に移動可能な１又は複数の竿体からなっている。連結手段は、手元竿体と中子竿体ユニットとを、少なくとも中子竿体ユニットの後部が糸導入口の穂先側近傍に位置する糸通し位置で嵌合により連結する。また、連結手段は、中子竿体ユニットの竿元側端部に設けられ、手元竿体の内周に摺接可能である。
【０００７】
ここでは、中子竿体ユニットの後端が糸導入口の穂先側近傍に位置する糸通し位置で手元竿体と中子竿体ユニットとが嵌合により連結されるので、糸通しを中子竿体ユニットの内部経路に挿入する際に、中子竿体ユニットがふらつかず、糸通しを中子竿体ユニットの内部経路に簡単に挿入できる。
発明２に係る中通し竿は、発明１に記載の竿において、前記連結手段は、穂先側ユニットの竿元側端部に固定され、竿元側端部より僅かに大径でありかつ手元竿体の内周に摺接可能な弾性を有する環状部材を有している。この場合には、環状部材が手元竿体に摺接しているので、中子竿体ユニットの後端部が常に手元竿体に連結され、後端部がふらつきにくい。
【０００８】
発明３に係る中通し竿は、発明２に記載の竿において、環状部材の竿元側端部に螺合され、外径が環状部材より小さいガイドリングと、ガイドリングの内周面に装着された硬質リングとをさらに備えている。この場合には、内部経路に案内された釣り糸が硬質リングに接触するので、釣り糸による磨耗が少なくなる。
発明４に係る中通し竿は、内部を釣り糸が挿通可能な中通し竿であって、手元竿体と、中子竿体ユニットと、連結手段とを備えている。手元竿体は、釣り糸が挿通する内部経路と、リールが装着可能なリール取付部と、リール取付部の前方に形成されリール取付部に装着されるリールからの釣り糸を内部経路に導入する糸導入口とを有している。中子竿体ユニットは、内部経路を有し、手元竿体の穂先側に連結されかつ手元竿体の内部を軸方向に移動可能な１又は複数の竿体からなっている。連結手段は、手元竿体と中子竿体ユニットとを、少なくとも中子竿体ユニットの後部が糸導入口の穂先側近傍に位置する糸通し位置で嵌合により連結する。また、連結手段は、中子竿体ユニットの後部が糸導入口の穂先側に配置された状態で手元竿体の先端部内周に位置するように中子竿体ユニットの外面に配置され、外周面が手元竿体の内周面に接触可能な厚肉部と、厚肉部より穂先側に移動可能でありかつ径方向に伸縮自在であり、中子竿体の外周に嵌められた状態で外径が手元竿体の先端内径より大きい割りパイプとを有している。
【０００９】
この場合には、厚肉部を手元竿体内の穂先端部に配置し、割りパイプをその厚肉部の穂先側に配置すると、中子竿体ユニットの後部が糸導入口の穂先側に配置されかつ厚肉部が手元竿体の内周面に接触して中子竿体ユニットの後部のふらつきが抑えられる。また、割りパイプがストッパとして機能し、中子竿体ユニットがそれ以上手元竿体内部に収納されなくなる。
【００１０】
発明５に係る中通し竿は、発明４に記載の竿において、前記厚肉部がリング状に形成されている。この場合には、厚肉部の形成が容易である。
発明６に係る中通し竿は、内部を釣り糸が挿通可能な中通し竿であって、手元竿体と、中子竿体ユニットと、連結手段とを備えている。手元竿体は、釣り糸が挿通する内部経路と、リールが装着可能なリール取付部と、リール取付部の前方に形成されリール取付部に装着されるリールからの釣り糸を内部経路に導入する糸導入口とを有している。中子竿体ユニットは、内部経路を有し、手元竿体の穂先側に連結されかつ手元竿体の内部を軸方向に移動可能な１又は複数の竿体からなっている。連結手段は、手元竿体と中子竿体ユニットとを、少なくとも中子竿体ユニットの後部が糸導入口の穂先側近傍に位置する糸通し位置で嵌合により連結する。また、連結手段は、手元竿体の糸導入口より竿先側の内面に嵌め込まれ、竿先側の内径が中子竿体ユニットの竿元側外径より大きく、竿元側の内径が中子竿体ユニットの竿元側外径より小さいテーパ面を内面に有し、周面の一部に軸方向に切り欠かれた切り欠き部を有する弾性リングを有している。
【００１１】
この場合には、中子竿体ユニットを手元竿体内に収納して中子竿体ユニットの後端が弾性リングに当接すると、弾性リングを押圧してその外径を拡げて、中子竿体ユニットの後端部が糸導入口近傍で手元竿体に連結され、糸通しを容易に挿入できる。また、それよりさらに手元竿体内に収納した後、中子竿体ユニットを引き出すと、弾性リングにより手元竿体の内周面との隙間が塞がれるので、中子竿体ユニットと手元竿体との間で釣り糸が噛み込むことが少なくなる。
【００１２】
発明７に係る中通し竿は、発明１から６のいずれかに記載の竿において、前記リール取付部と糸導入口との間に設けられ、糸導入口に釣り糸を案内する糸導入ガイドをさらに備えている。この場合には、糸通しを糸導入ガイドを通した後糸導入口から内部通路に挿入することで、糸通しを中子竿体ユニットの内部通路により挿入しやすくなる。
【００１３】
発明８に係る中通し竿は、発明７に記載の竿において、前記糸導入ガイドは、糸導入口を挟んで両端形成され手元竿体の外周面に固定される前後の固定部と、前後の固定部を連結するとともにリールからの釣り糸が挿通可能でこの釣り糸を糸導入口に案内するためのガイド部を有する連結部とを有している。
ここでは、前後２か所で糸導入ガイドが手元竿体に固定されるので強度上安定している。しかも、前後の固定部を連結する連結部にガイド部が形成されているので、連結部が他の部材に衝突してもガイド部が折れ曲がったりすることが少ない。
【００１４】
発明９に係る中通し竿は、発明８に記載の中通し竿において、前記連結部は前記固定部と一体で形成されているので、製造が容易になる。
発明１０に係る中通し竿は、発明８又は９に記載の竿において、前記連結部は糸導入口の上方で外方に湾曲するアーチ状に形成され、前記ガイド部はリール側の傾斜部分に形成されている。ここでは、連結部がアーチ状に形成されているので、連結部を滑らかに突出することとなり、連結部の強度が高くなりかつ釣り糸のひっかかりも少なくなる。
【００１５】
【発明の実施の形態】
〔実施形態１〕
図１に示す本発明の一実施形態による中通し竿は、筒状の手元竿体１と、手元竿体１の穂先側に振出形式で連結された複数の筒状の竿体からなる中子竿体ユニット２とを有している。手元竿体１及び中子竿体ユニット２の各竿体は、穂先側が手元側に比べて僅かに小径となるようなテーパがついた円筒部材である。手元竿体１の前端部には糸導入口１ａが形成されており、この糸導入口１ａから竿体内部に導入された釣り糸は、竿体の内部経路２０（図３）を通って中子竿体ユニット２の穂先竿体（図示せず）の先端のトップガイドから導出される。手元竿体１の手元側にはスピニングリール３が装着可能なリール取付部５が設けられており、また手元竿体１の前端には糸導入ガイド４が装着されている。なお、中子竿体ユニット２は、手元竿体１に収納可能である。
【００１６】
図２に示すように、糸導入ガイド４は、パイプ材の軸方向中間部を切り欠くとともに切り欠かれた部分を外方に湾曲させて形成したものであり、筒状の前固定部１０および後固定部１１と、前後の固定部１０，１１を連結する連結部１２とを有している。連結部１２は、前後の固定部１０，１１から滑らかに外方に湾曲するアーチ状に形成されている。また、軸方向中間部はその前後の部分に比べて徐々に幅が狭くなっている。
【００１７】
糸導入ガイド４は、糸導入口１ａの上方にアーチ状連結部１２の前方側傾斜部が位置するように手元竿体１に固定されている。そして、アーチ状連結部１２のリール側（後方側）傾斜部にガイド部１５が設けられている。ガイド部１５は、連結部１２に形成された貫通孔１６と、貫通孔１６の開口縁部に装着されたセラミック等からなる硬質リング１７ａとを有している。なお、糸導入口１ａの縁にも硬質リング１７ｂが嵌め込まれている。
【００１８】
この糸導入ガイド４では、パイプ材を用いて前後の固定部１０，１１及び連結部１２を一体で形成でき、製造が容易である。また、製造工程も簡略化される。また、前後の固定部１０，１１によって竿に支持されるので、連結部１２が他の部材に衝突しても従来のように糸導入ガイド４が折れ曲がったりしにくい。さらに、連結部１２がアーチ状に形成され、前後の固定部１０，１１に滑らかに連続しているので、リール３から繰り出された釣り糸がふけた場合でも、連結部１２等にふけた釣り糸が絡むことがすくない。また、糸導入口１ａが見やすいように糸導入ガイド４が構成されているので、糸通しを中子竿体ユニット２の後端に挿入する際に作業がしやすい。
【００１９】
手元竿体１及び中子竿体ユニット２の内部には、図３に示すように、釣り糸が挿通する内部経路２０が形成されている。中子竿体ユニット２のうち直接手元竿体１に収納される中間竿体２ａおよびそれより先端の竿体（図示せず）の内部経路２０には螺旋状突起で構成された釣り糸支持部２１が形成されている。この釣り糸支持部２１は、釣り糸と内部経路２０との摩擦抵抗を減少し、釣り糸をスムーズに出し入れするために設けられている。
【００２０】
中間竿体２ａの竿尻側は、穂先側より厚肉の大径部２ｂとなっている。大径部２ｂは、図４に示すように、中間竿体２ａが伸長状態（使用状態）のとき、手元竿体１の先端よりわずかに穂先側に出ている。中間竿体２ａの竿尻端部（後側）には、プラスチック等の弾性体からなる環状部材２５が装着されている。環状部材２５は鍔付円筒形状の部材であり、手元竿体１と中間竿体２ａとを糸通し位置（中間竿体２ａの竿尻が糸導入口１ａの竿先側に配置される位置）で固く連結する連結手段である。環状部材２５は円筒部２５ａが中間竿体２ａの竿尻側内周面に形成された段部２ｃに圧入又は接着により固定されている。環状部材２５の鍔部２５ｂの外径は、中間竿体２ａの外径より僅かに大きくかつ手元竿体１の内周面に摺接可能な寸法である。このような環状部材２５を中間竿体２ａに設けることで、糸導入口１ａの近傍で手元竿体１と中間竿体２ａとを嵌合により連結でき、中間竿体２ａの後端がふらつきにくくなり、内部経路２０に糸通し３０を簡単に挿入できる。
【００２１】
環状部材２５の竿尻側にはガイドリング２６がねじ込まれている。ガイドリング２６の外径は環状部材２５より僅かに小さい。ガイドリング２６は、後端内面に形成されたテーパ面２６ａと、テーパ面２６ａに連なる段部２６ｂとを有している。この段部２６ｂには、セラミック等からなる硬質リング２７が嵌め込まれている。硬質リング２７の内径は、内部経路２０の釣り糸支持部２１の内径より小さくなっている。
【００２２】
このように構成された釣り竿では、釣り糸を竿体内部に挿入する場合には、糸通し３０を用いる。糸通し３０は、複数の素線によって形成されたワイヤ３１と、ワイヤ３１の後端に設けられた糸止め部３２と、ワイヤ３１の前端に固定されたキャップ３３とを有している。
糸通し３０を用いて釣り糸を内部に挿入する際には、中子竿体ユニット２を手元竿体１から引き出し、中間竿体２ａの後端を糸導入口１ａの近傍の糸通し位置（図３）に配置する。この結果、中間竿体２ａに形成された内部経路２０の後端に嵌め込まれた硬質リング２７を外部から目視できるようになる。次に、糸通し３０の糸止め部３２に釣り糸を係止し、先端を糸導入ガイド４の硬質リング１７ａを通し、さらに手元竿体１の糸導入口１ａから硬質リング２７に挿入する。そして、糸通し３０を穂先側に送っていき、糸通し３０の先端を穂先のトップガイドから外部に導出する。その後、糸通し３０の先端を外部に引っ張り、糸止め部３２に係止されている釣り糸をトップガイドから導出する。
【００２３】
この糸通し３０挿入時に硬質リング２７が嵌め込まれた中間竿体２ａは、環状部材２５により手元竿体１に嵌合により固く連結されているので、内部経路２０の後端にある硬質リング２７がふらつきにくくなり、糸通し３０の内部経路２０への挿入を容易に行える。
そして、中通し竿を使用状態に延ばした場合でもトップガイドから出るように釣り糸を十分な長さ外部に引き出すと、糸通し３０から釣り糸を外して釣り糸の先端に釣り方に合わせた仕掛けを装着するとともに、中子竿体ユニット２の各竿体を引っ張って、釣り竿を図４に示す使用状態に伸長する。このとき、環状部材２５が中間竿体２ａに設けられており、かつ大径部２ｂが先細りの手元竿体１の先端内周面にきつく嵌合するので、この使用状態でも手元竿体１と中間竿体２ａとは嵌合により固く連結される。
【００２４】
〔実施形態２〕
図５に示すように、中間竿体２ａの外周面に設けられたリング状の厚肉部４０と、厚肉部４０より穂先側を移動可能な弾性リング４２とにより連結手段を構成してもよい。なお、以降の説明において実施形態１と同一機能の部材には同一の符号を付すものとする。
【００２５】
この実施形態では、中間竿体ユニット２は、中間竿体２ａと穂先竿体２ｄとから構成されている。これらの竿体２ａ，２ｄの後端面にはセラミック等からなる硬質リング２７ａ，２７ｂが装着されている。中間竿体２ａの後端部には他の部分より厚肉の後端厚肉部４３が形成されている。この後端厚肉部４３の外径は、先細りテーパ状の手元竿体１の先端内径より少し大きい寸法である。これにより、中間竿体２ａがの手元竿体１から抜けにくくなっている。穂先竿体２ｄは、図７に示すように、中間竿体２ａの内部に収納されており、糸を導出するためのトップガイド２ｅを先端に有している。
【００２６】
厚肉部４０は、中間竿体２ａの外周面において、中間竿体２ａの後部が糸導入口１ａの穂先側に配置された状態で手元竿体１の先端内周に配置される位置に形成されている。厚肉部４０は、外径が手元竿体１の先端内周面に接触可能な寸法である。厚肉部４０の断面は穂先側の傾斜がきつい波状である。このような形状に厚肉部４０を形成したのは、弾性リング４２が厚肉部４０より竿元側に移動しないようにするためである。
【００２７】
中間竿体２ａの先端には厚肉部４０と同一外径の先端厚肉部４１が形成されている。先端厚肉部４１は、中子竿体ユニット２を手元竿体１に収納した状態で手元竿体１の先端内周面に接触して中子竿体ユニット２のふらつきを防止するために設けられている。先端厚肉部４１の竿先部には弾性リング４２の抜け止めのための大径の鍔部４４が形成されている。
【００２８】
弾性リング４２は、図６に示すように、円周の１か所に軸方向に切り欠きを入れた弾性体製であり、自然状態では、少なくとも中間竿体２ａの外径より小さくなる部分を内周面に有するように成形されている。弾性リング４２は、中間竿体２ａの外周に嵌められた状態で外径が手元竿体１の先端内径より大きい寸法となる。このため、図５に実線で示すように厚肉部４０の穂先側に配置されると、中間竿体２ａがそれ以上手元竿体１に引き込まれないようにするためのストッパとして機能する。さらに、点線で示すように拡径されて先端厚肉部４１の外周面に配置されると、中間竿体２ａと手元竿体１との緩衝部材として機能する。
【００２９】
糸導入ガイド４は、手元竿体１に取り付けられた脚部４５と、脚部４５の先端に装着された糸挿通部４６とを有している。糸挿通部４６には糸挿通孔４７が形成されている。なお、糸導入ガイド４の糸挿通孔４７及び糸導入口１ａの縁には釣り糸を案内するセラミック等からなる硬質リング１７ａ，１７ｂが装着されている。
【００３０】
このように構成された中通し竿では、糸通し時には、図５に示すように、中子竿体ユニット２を一端引き出した後、弾性リング４２を厚肉部４０の穂先側に配置する。そして、中子竿体ユニット２を弾性リング４２が手元竿体１の先端に当接するまで、手元竿体１内に引き込む。すると、中子竿体ユニット２の後端が糸導入口１ａの穂先側に配置される。この状態では、厚肉部４０が手元竿体１に接触して手元竿体１と中子竿体ユニット２の中間竿体２ａとが嵌合によって連結されるので、硬質リング２７ａがふらつかない。そして、硬質リング１７ａ，１７ｂに糸通し３０を挿入し、さらに硬質リング２７ａに挿入して前述と同様にして糸通しを行う。
【００３１】
また、竿を収納する際には、図７に示すように、弾性リング４２を先端厚肉部４１上の先端側に配置した後、中子竿体ユニット２を手元竿体１内に収納する。すると、先端厚肉部４１が手元竿体１の先端内周に接触した状態になるので、収納状態で中子竿体ユニット２が手元竿体１の内部でふらつきにくい。
さらに、使用時に中子竿体ユニット２を手元竿体１から引き出すと、後端厚肉部４３が手元竿体１の先端に接触し抜けない状態になるので、中間竿体２ａと手元竿体１とが固く連結される。
【００３２】
〔実施形態３〕
図８に示すように、手元竿体１にたとえばイソプレンゴム，シリコーンゴム等の合成ゴム製の弾性リング５０を嵌め込むようにしてもよい。弾性リング５０は内周面に竿先側に向けて広がるテーパ面５１を有している。テーパ面５１の竿先側の内径は中子竿体ユニット２の中間竿体２ａの外径より大きく、竿元側の内径は中間竿体２ａの外径より小さくなっており、中間竿体２ａを挿入することで内径を拡大可能な寸法となっている。また、弾性リング５０は、図９に示すように、周面の一部に軸方向に切り欠かれた切り欠き部５２を有している。これにより、径の拡大をスムーズに行える。
【００３３】
また、弾性リング５０の通常の外径は、手元竿体１の内径より僅かに小さく、内径が拡大されると手元竿体１の内径より大きく膨らもうとする。また、弾性リング５０は、中間竿体２ａによって内径を拡げようとすると弾性によりそれに対する抗力が生じて縮まろうとする。この結果、中間竿体２ａを弾性リング５０内に挿入して拡げると、手元竿体１と中間竿体２ａとが嵌合により連結される。
【００３４】
他の構成は、前記実施形態２と同様にであり説明を省略する。
このように構成された中通し竿では、中間竿体２ａの後端を、図８に示すように弾性リング５０に接触させて弾性リング５０を拡げることで、手元竿体１と中間竿体２ａとを固く連結できる。また、図１０に示すように、収納された状態から中子竿体ユニット２を引き出すとき、糸導入口１ａの前側に弾性リング５０が配置されているので、中子竿体ユニット２を延ばしたときに釣り糸が糸導入口１ａより前方で隙間に噛み込むことがない。
【００３５】
〔他の実施形態〕
振出式の中通し竿に代えて並継ぎ式の中通し竿にも本発明を適用できる。
【００３６】
【発明の効果】
本発明に係る中通し竿では、中子竿体ユニットの後端が糸導入口の穂先側近傍に位置する糸通し位置で手元竿体と中子竿体ユニットとが嵌合により連結されるので、糸通しを中子竿体ユニットの内部経路に挿入する際に、中子竿体ユニットがふらつかず、糸通しを中子竿体ユニットの内部経路に簡単に挿入できる。
【図面の簡単な説明】
【図１】本発明の一実施形態による中通し竿の側面図。
【図２】その糸導入ガイドの斜視拡大図。
【図３】糸通し時の糸導入口近辺の断面部分図。
【図４】伸長時の断面部分図。
【図５】他の実施形態の図３に相当する図。
【図６】その弾性リングを示す断面図。
【図７】他の実施形態の収納時の断面図。
【図８】他の実施形態の図３に相当する図。
【図９】その弾性リングを示す断面図。
【図１０】他の実施形態の収納時の断面図。
【符号の説明】
１  手元竿体
１ａ  糸導入口
２  中子竿体ユニット
２ａ  中間竿体
２ｄ  穂先竿体
３  リール
４  糸導入ガイド
５  リール取付部
１０，１１  固定部
１２  連結部
１７ａ，２７，２７ａ  硬質リング
２５  環状部材
２６  ガイドリング
４０  厚肉部
４２，５０  弾性リング
【図１】
0003688787.tif 000002
【図２】
0003688787.tif 000003
【図３】
0003688787.tif 000004
【図４】
0003688787.tif 000005
【図５】
0003688787.tif 000006
【図６】
0003688787.tif 000007
【図７】
0003688787.tif 000008
【図８】
0003688787.tif 000009
【図９】
0003688787.tif 000010
【図１０】
0003688787.tif 000011